(57)【要約】【課題】ユーザによって選択・指定された表示領域がズーミングされた場合、ズーミングされた表示領域の面積に応じて、表示する情報量を制御できる情報処理装置、情報閲覧方法、情報閲覧プログラム及び記録媒体を提供する。【解決手段】所定の情報が表示される領域のうち所定の領域が選択され、選択された領域が拡大表示された場合は、選択された領域に表示されている情報に関連する関連情報を表示し、また、選択された領域が縮小表示された場合は、関連情報を非表示とする情報処理装置であって、拡大表示又は縮小表示の対象となる所定の領域を選択させる領域選択手段と、領域選択手段により選択された領域を、動的に拡大表示又は縮小表示する拡大縮小表示手段と、拡大縮小表示手段により拡大表示又は縮小表示された領域の面積に基づいて、関連情報の表示量を制御する関連情報量制御手段と、を有する。【選択図】図２
2008170900.tif 000002
【特許請求の範囲】
【請求項１】
所定の情報が表示される領域のうち所定の領域が選択され、該選択された領域が拡大表示された場合は、該選択された領域に表示されている情報に関連する関連情報を表示し、また、該選択された領域が縮小表示された場合は、前記関連情報を非表示とする情報処理装置であって、
拡大表示又は縮小表示の対象となる所定の領域を選択させる領域選択手段と、
前記領域選択手段により選択された領域を、動的に拡大表示又は縮小表示する拡大縮小表示手段と、
前記拡大縮小表示手段により拡大表示又は縮小表示された領域の面積に基づいて、前記関連情報の表示量を制御する関連情報量制御手段と、
を有することを特徴とする情報処理装置。
【請求項２】
前記関連情報は、前記選択された領域に表示されている情報の一部分を示す情報、又は、前記選択された領域に表示されている情報に基づいて作成された情報のいずれかであることを特徴とする請求項１記載の情報処理装置。
【請求項３】
前記関連情報は、同一内容で、かつ、サイズの異なるものが予め複数作成され、
前記関連情報量制御手段は、前記拡大縮小表示手段により拡大表示又は縮小表示された領域の面積に基づいて、前記作成された複数の関連情報のうち、該面積内に収まるサイズの関連情報を選択して、該関連情報を表示する制御、及び、前記作成された複数の関連情報のうち、所定の関連情報を選択して、該関連情報を該面積内に収まるように加工して、該加工した関連情報を表示する制御、のうち少なくとも１つの制御を行うことを特徴とする請求項１又は２記載の情報処理装置。
【請求項４】
前記関連情報が表示された後、該関連情報が選択された場合、該関連情報に関連する関連情報をさらに表示することを特徴とする請求項１から３のいずれか１項に記載の情報処理装置。
【請求項５】
所定の情報が表示される領域のうち所定の領域が選択され、該選択された領域が拡大表示された場合は、該選択された領域に表示されている情報に関連する関連情報を表示し、また、該選択された領域が縮小表示された場合は、前記関連情報を非表示とする装置で行われる情報閲覧方法であって、
前記装置は、
拡大表示又は縮小表示の対象となる所定の領域を選択させる領域選択ステップと、
前記領域選択ステップにより選択された領域を、動的に拡大表示又は縮小表示する拡大縮小表示ステップと、
前記拡大縮小表示ステップにより拡大表示又は縮小表示された領域の面積に基づいて、前記関連情報の表示量を制御する関連情報量制御ステップと、
を行うことを特徴とする情報閲覧方法。
【請求項６】
前記関連情報は、前記選択された領域に表示されている情報の一部分を示す情報、又は、前記選択された領域に表示されている情報に基づいて作成された情報のいずれかであることを特徴とする請求項５記載の情報閲覧方法。
【請求項７】
前記関連情報は、同一内容で、かつ、サイズの異なるものが予め複数作成され、
前記装置は、
前記関連情報量制御ステップとして、
前記拡大縮小表示ステップにより拡大表示又は縮小表示された領域の面積に基づいて、前記作成された複数の関連情報のうち、該面積内に収まるサイズの関連情報を選択して、該関連情報を表示する制御を行うステップ、及び、前記作成された複数の関連情報のうち、所定の関連情報を選択して、該関連情報を該面積内に収まるように加工して、該加工した関連情報を表示する制御を行うステップ、のうち少なくとも１つのステップを行うことを特徴とする請求項５又は６記載の情報閲覧方法。
【請求項８】
前記装置は、
前記関連情報が表示された後、該関連情報が選択された場合、該関連情報に関連する関連情報をさらに表示するステップを行うことを特徴とする請求項６から８のいずれか１項に記載の情報閲覧方法。
【請求項９】
所定の情報が表示される領域のうち所定の領域が選択され、該選択された領域が拡大表示された場合は、該選択された領域に表示されている情報に関連する関連情報を表示し、また、該選択された領域が縮小表示された場合は、前記関連情報を非表示とする処理を装置に実行させるための情報閲覧プログラムであって、
前記装置に、
拡大表示又は縮小表示の対象となる所定の領域を選択させる領域選択処理と、
前記領域選択処理により選択された領域を、動的に拡大表示又は縮小表示する拡大縮小表示処理と、
前記拡大縮小表示処理により拡大表示又は縮小表示された領域の面積に基づいて、前記関連情報の表示量を制御する関連情報量制御処理と、
を実行させることを特徴とする情報閲覧プログラム。
【請求項１０】
前記関連情報は、前記選択された領域に表示されている情報の一部分を示す情報、又は、前記選択された領域に表示されている情報に基づいて作成された情報のいずれかであることを特徴とする請求項９記載の情報閲覧プログラム。
【請求項１１】
前記関連情報は、同一内容で、かつ、サイズの異なるものが予め複数作成され、
前記装置に、
前記関連情報量制御処理として、
前記拡大縮小表示処理により拡大表示又は縮小表示された領域の面積に基づいて、前記作成された複数の関連情報のうち、該面積内に収まるサイズの関連情報を選択して、該関連情報を表示する制御を行う処理、及び、前記作成された複数の関連情報のうち、所定の関連情報を選択して、該関連情報を該面積内に収まるように加工して、該加工した関連情報を表示する制御を行う処理、のうち少なくとも１つの処理を実行させることを特徴とする請求項９又は１０記載の情報閲覧プログラム。
【請求項１２】
前記装置に、
前記関連情報が表示された後、該関連情報が選択された場合、該関連情報に関連する関連情報をさらに表示する処理を実行させることを特徴とする請求項９から１１のいずれか１項に記載の情報閲覧プログラム。
【請求項１３】
請求項９から１２のいずれか１項に記載の情報閲覧プログラムを記録したことを特徴とする記録媒体。
【発明の詳細な説明】
【技術分野】
【０００１】
本発明は、情報処理装置、情報閲覧方法、情報閲覧プログラム及び記録媒体に関する。
【背景技術】
【０００２】
近年、オフィス文書（報告書、議事録、メモ等）においては、カメラ付き携帯電話やデジタルビデオカメラ等の普及により、多様なメディア（テキスト、静止画、動画等）からなるオブジェクトの集合で構成されるマルチメディアコンテンツ化が進んでいる。
【０００３】
このようなマルチメディアコンテンツを閲覧するための従来技術例として、画面上に表示されたマルチメディアコンテンツを構成するオブジェクトのうち所望のオブジェクトを選択し、ズーミングを行うと、そのオブジェクトに関連する関連情報が表示される「コンテンツ閲覧システム、コンテンツサーバ、プログラム及び記憶媒体」がある（例えば、特許文献１参照）。
【特許文献１】特開２００６−４８１５１号公報
【発明の開示】
【発明が解決しようとする課題】
【０００４】
しかしながら、上記特許文献１記載の発明は、所定の対象オブジェクトをズームインすると、その対象オブジェクトに予め対応付けられた関連情報が表示されるものであるので、ユーザによって選択・指定された表示領域がズーミングされた場合、ズーミングされた表示領域の面積に応じて、表示される関連情報の量が変化するものではない。
【０００５】
本発明は、上記事情に鑑みてなされたものであり、ユーザによって選択・指定された表示領域がズーミングされた場合、ズーミングされた表示領域の面積に応じて、表示する情報量を制御できる情報処理装置、情報閲覧方法、情報閲覧プログラム及び記録媒体を提供することを目的とする。
【課題を解決するための手段】
【０００６】
かかる目的を達成するために、請求項１記載の発明は、所定の情報が表示される領域のうち所定の領域が選択され、選択された領域が拡大表示された場合は、選択された領域に表示されている情報に関連する関連情報を表示し、また、選択された領域が縮小表示された場合は、関連情報を非表示とする情報処理装置であって、拡大表示又は縮小表示の対象となる所定の領域を選択させる領域選択手段と、領域選択手段により選択された領域を、動的に拡大表示又は縮小表示する拡大縮小表示手段と、拡大縮小表示手段により拡大表示又は縮小表示された領域の面積に基づいて、関連情報の表示量を制御する関連情報量制御手段と、を有することを特徴とする。
【０００７】
請求項２記載の発明は、請求項１記載の発明において、関連情報は、選択された領域に表示されている情報の一部分を示す情報、又は、選択された領域に表示されている情報に基づいて作成された情報のいずれかであることを特徴とする。
【０００８】
請求項３記載の発明は、請求項１又は２記載の発明において、関連情報は、同一内容で、かつ、サイズの異なるものが予め複数作成され、関連情報量制御手段は、拡大縮小表示手段により拡大表示又は縮小表示された領域の面積に基づいて、作成された複数の関連情報のうち、面積内に収まるサイズの関連情報を選択して、関連情報を表示する制御、及び、作成された複数の関連情報のうち、所定の関連情報を選択して、関連情報を面積内に収まるように加工して、加工した関連情報を表示する制御、のうち少なくとも１つの制御を行うことを特徴とする。
【０００９】
請求項４記載の発明は、請求項１から３のいずれか１項に記載の発明において、関連情報が表示された後、関連情報が選択された場合、関連情報に関連する関連情報をさらに表示することを特徴とする。
【００１０】
請求項５記載の発明は、所定の情報が表示される領域のうち所定の領域が選択され、選択された領域が拡大表示された場合は、選択された領域に表示されている情報に関連する関連情報を表示し、また、選択された領域が縮小表示された場合は、関連情報を非表示とする装置で行われる情報閲覧方法であって、装置は、拡大表示又は縮小表示の対象となる所定の領域を選択させる領域選択ステップと、領域選択ステップにより選択された領域を、動的に拡大表示又は縮小表示する拡大縮小表示ステップと、拡大縮小表示ステップにより拡大表示又は縮小表示された領域の面積に基づいて、関連情報の表示量を制御する関連情報量制御ステップと、を行うことを特徴とする。
【００１１】
請求項６記載の発明は、請求項５記載の発明において、関連情報は、選択された領域に表示されている情報の一部分を示す情報、又は、選択された領域に表示されている情報に基づいて作成された情報のいずれかであることを特徴とする。
【００１２】
請求項７記載の発明は、請求項５又は６記載の発明において、関連情報は、同一内容で、かつ、サイズの異なるものが予め複数作成され、装置は、関連情報量制御ステップとして、拡大縮小表示ステップにより拡大表示又は縮小表示された領域の面積に基づいて、作成された複数の関連情報のうち、面積内に収まるサイズの関連情報を選択して、関連情報を表示する制御を行うステップ、及び、作成された複数の関連情報のうち、所定の関連情報を選択して、関連情報を面積内に収まるように加工して、加工した関連情報を表示する制御を行うステップ、のうち少なくとも１つのステップを行うことを特徴とする。
【００１３】
請求項８記載の発明は、請求項５から７のいずれか１項に記載の発明において、装置は、関連情報が表示された後、関連情報が選択された場合、関連情報に関連する関連情報をさらに表示するステップを行うことを特徴とする。
【００１４】
請求項９記載の発明は、所定の情報が表示される領域のうち所定の領域が選択され、選択された領域が拡大表示された場合は、選択された領域に表示されている情報に関連する関連情報を表示し、また、選択された領域が縮小表示された場合は、関連情報を非表示とする処理を装置に実行させるための情報閲覧プログラムであって、装置に、拡大表示又は縮小表示の対象となる所定の領域を選択させる領域選択処理と、領域選択処理により選択された領域を、動的に拡大表示又は縮小表示する拡大縮小表示処理と、拡大縮小表示処理により拡大表示又は縮小表示された領域の面積に基づいて、関連情報の表示量を制御する関連情報量制御処理と、を実行させることを特徴とする。
【００１５】
請求項１０記載の発明は、請求項９記載の発明において、関連情報は、選択された領域に表示されている情報の一部分を示す情報、又は、選択された領域に表示されている情報に基づいて作成された情報のいずれかであることを特徴とする。
【００１６】
請求項１１記載の発明は、請求項９又は１０記載の発明において、関連情報は、同一内容で、かつ、サイズの異なるものが予め複数作成され、装置に、関連情報量制御処理として、拡大縮小表示処理により拡大表示又は縮小表示された領域の面積に基づいて、作成された複数の関連情報のうち、面積内に収まるサイズの関連情報を選択して、関連情報を表示する制御を行う処理、及び、作成された複数の関連情報のうち、所定の関連情報を選択して、関連情報を面積内に収まるように加工して、加工した関連情報を表示する制御を行う処理、のうち少なくとも１つの処理を実行させることを特徴とする。
【００１７】
請求項１２記載の発明は、請求項９から１１のいずれか１項に記載の発明において、装置に、関連情報が表示された後、関連情報が選択された場合、関連情報に関連する関連情報をさらに表示する処理を実行させることを特徴とする。
【００１８】
請求項１３記載の発明は、請求項９から１２のいずれか１項に記載の情報閲覧プログラムを記録したことを特徴とする。
【発明の効果】
【００１９】
本発明によれば、ユーザによって選択・指定された表示領域がズーミングされた場合、ズーミングされた表示領域の面積に応じて、表示する情報量を制御することが可能となる。
【発明を実施するための最良の形態】
【００２０】
以下、本発明を実施するための最良の形態について添付図面を参照して詳細に説明する。
【００２１】
図１は、本発明の一実施形態としての、一般的又は標準的なパーソナルコンピュータ１のハードウェアの構成図である。パーソナルコンピュータ（以下、コンピュータと略す。）１は、情報処理を行うＣＰＵ（Central Processing Unit）２と、ＢＩＯＳ（Basic Input Output System）等を格納するＲＯＭ（Read Only Memory）３と、情報を処理中に一時的に格納するＲＡＭ（Random Access Memory）４等の一次記憶装置と、アプリケーションプログラムや処理結果等を保存する記憶手段であるＨＤＤ（Hard Disk Drive）５等の二次記憶装置と、情報を外部に保管又は配布しもしくは情報（アプリケーションプログラム等）を外部から入手するための記録媒体であるリムーバブルメディア６のドライブ７と、外部のコンピュータと通信するためのネットワークに接続するためのネットワークインターフェース８と、処理経過や処理結果等をユーザに表示する表示部であるディスプレイ９と、操作者がコンピュータ１に命令や情報等を入力するためのキーボード１０やマウス１１等の入力部とから構成され、これらの間のデータ通信をバスコントローラ１２が調停して動作している。
【００２２】
なお、リムーバブルメディア６としては、フレキシブルディスク、ハードディスク、磁気テープ等のような磁気的な記録媒体、ＭＯのような光磁気的な記録媒体、ＣＤ、ＣＤ−ＲＯＭ、ＣＤ−Ｒ、ＣＤ−ＲＷ、ＤＶＤ−ＲＯＭ、ＤＶＤ−Ｒ、ＤＶＤ−ＲＡＭ、ＤＶＤ−ＲＷ、ＤＶＤ＋ＲＷ等のような光学的な記録媒体、半導体メモリ等、各種の記録媒体が適用できる。
【００２３】
データ送信は、コンピュータ１のネットワークインターフェース８へとデータを送ることにより、ネットワークインターフェース８がネットワークへと信号を出力する。また、ネットワークインターフェース８が受け取った信号については、ネットワークインターフェース８において必要かどうかの判断がなされ、必要なデータであれば取り込み、不必要であれば破棄する、というような処理が行われる。すなわち、あらゆるデータの送受信は、すべてネットワークインターフェース８を経由して行われることになる。
【００２４】
一般的に、このようなコンピュータ１ではユーザが電源を投入すると、ＣＰＵ２はＲＯＭ３内のＢＩＯＳに含まれるローダーというプログラムを起動させ、ＨＤＤ５からオペレーティングシステム（ＯＳ）という当該コンピュータ１のハードウェアとソフトウェアとを管理するプログラムをＲＡＭ４に読み込む。ＯＳは起動すると、ユーザの操作に応じてアプリケーションプログラムの起動、情報の読み込み、保存等をサポートする。ＯＳ上で走るプログラムをアプリケーションプログラムと呼んでいる。なお、アプリケーションプログラムは、所定のＯＳ上で動作するものに限らず、後述の各種処理の一部の実行をＯＳに肩代わりさせるものであってもよいし、所定のアプリケーションソフトやＯＳなどを構成する一群のプログラムファイルの一部として含まれているものであってもよい。
【００２５】
ここで、コンピュータ１は、アプリケーションプログラムとして、本発明の一実施形態であるマルチメディアコンテンツ閲覧プログラム（情報閲覧プログラム）をＨＤＤ５に記憶している。この意味で、ＨＤＤ５は、マルチメディアコンテンツ閲覧プログラムを記憶する記録媒体として機能する。
【００２６】
また、一般的には、コンピュータ１のＨＤＤ５にインストールされるアプリケーションプログラムは、リムーバブルメディア６に記録され、このリムーバブルメディア６に記録されたアプリケーションプログラムがＨＤＤ５にインストールされる。このため、リムーバブルメディア６も、マルチメディアコンテンツ閲覧プログラムを記憶する記録媒体となり得る。さらには、マルチメディアコンテンツ閲覧プログラムは、例えばネットワークインターフェース８を介して外部から取り込まれ、ＨＤＤ５にインストールされても良い。
【００２７】
コンピュータ１は、ＯＳ上で動作するマルチメディアコンテンツ閲覧プログラムが起動すると、このマルチメディアコンテンツ閲覧プログラムに従い、ＣＰＵ２が各種の演算処理を実行して各部を集中的に制御する。コンピュータ１のＣＰＵ２が実行する各種の演算処理のうち、本実施形態の特徴的な処理であるマルチメディアコンテンツ閲覧処理について以下に説明する。概略的には、本実施形態のマルチメディアコンテンツ閲覧処理は、ズーミングメタファを採用して、例えばテキストのみの初期画面の所定の枠をズームインすると、より詳細なテキスト情報や会議参加者の写真、討議状況を撮影した動画像／音声等を閲覧できるようにしたものである。
【００２８】
図２は、コンピュータ１の機能構成を示すブロック図である。コンピュータ１、ＣＰＵ２がＯＳ上で動作するマルチメディアコンテンツ閲覧プログラムに従うことにより、図２に示す、オリジナル文書情報保存手段２０と、表示情報作成手段２１と、表示情報保存手段２２と、表示手段２３と、ズームイン／ズームアウト指示手段２４と、制御手段２５と、をコンピュータ１上に実現する。
【００２９】
オリジナル文書情報保存手段２０は、オリジナル文書情報を保存する手段であり、例えばＨＤＤ５に形成される。ここで、オリジナル文書情報とは、少なくとも１種類以上のオブジェクト（例えば、文章作成ソフトウェア、図形描画ソフトウェア、表計算ソフトウェア等のアプリケーションで作成されたり、ハンドスキャナ、ディジタルカメラ等で取り込まれたりした、文章データや画像データ等）で構成されたマルチメディアコンテンツである。なお、このオリジナル文書情報保存手段２０に保存される一のオリジナル文書情報は、単数ページの情報であっても、あるいは、複数ページの情報であってもよい。
【００３０】
表示情報作成手段２１は、制御手段２５の指示に基づき、所定の表示情報を作成する手段である。ここで、表示情報とは、オリジナル文書情報保存手段２０に保存された所定のオリジナル文書情報に基づいて作成され、オリジナル文書情報の要約やオリジナル文書情報の一部分の抜粋など、オリジナル文書情報に関連する内容を示す関連情報である。この表示情報は、画像情報（以下、画像型表示情報という）であっても、文章情報（以下、文章型表示情報という）であってもよい。また、表示情報は、一のオリジナル文書情報につき、画像型表示情報及び文章型表示情報のうち少なくとも１以上が作成される。作成された表示情報の表示については後述する。
【００３１】
表示情報保存手段２２は、表示情報作成手段２１により作成された表示情報を保存する手段である。表示情報は、作成元のオリジナル文書情報と対応付けられて保存される。なお、ここでは、表示情報作成手段２１により作成された表示情報を保存するものとしたが、本コンピュータ１以外の外部装置で予め作成された表示情報を、外部インターフェース等を介してこの表示情報保存手段２２に保存するようにしてもよい。
【００３２】
表示手段２３は、ディスプレイ９における各種情報の表示（ズームイン／ズームアウト処理等）を制御する手段である。特に、本実施形態では、制御手段２５からの指示に基づいて、表示情報作成手段２１で作成された表示情報を表示情報作成手段２１から直接受け取ってディスプレイ９に表示したり、表示情報保存手段２２に保存されている表示情報の中から所定の表示情報を検索してディスプレイ９に表示したりする。
【００３３】
ズームイン／ズームアウト指示手段２４は、コンピュータ１のユーザ操作に基づいて、ディスプレイ９に画面表示された各種情報のズームイン（拡大表示）処理及びズームアウト（縮小表示）処理を、制御手段２５を介して表示手段２３に指示する手段である。例えば、ユーザにより、ディスプレイ９に画面表示されたオリジナル文書情報のページ自体をズームイン／ズームアウトしたり、又は、ディスプレイ９に画面表示されたオリジナル文書情報のページにおける所定領域を選択してズームイン／ズームアウトしたりする操作がマウス１１やキーボード１０などで行われた場合、ズームイン／ズームアウト指示手段２４は、所定の処理を行うように制御手段２５を介して表示手段２３に指示する。なお、ズーミング（ズームイン／ズームアウト）動作自体は、従来パーソナルコンピュータ等で一般的に行われている動作と同じである。
【００３４】
制御手段２５は、上述したように、ズームイン／ズームアウト指示手段２４からズームイン／ズームアウト指示を受けた場合、表示情報作成手段２１へ所定の表示情報の作成を指示したり、表示手段２３へ所定のズームイン／ズームアウト処理を指示したりする。また、ズームイン／ズームアウト処理が行われた場合に、拡大表示又は縮小表示された領域の面積に基づいて、表示情報の情報量を制御する（これについては、後述する）。
【００３５】
次に、上記コンピュータ１にマルチメディアコンテンツ閲覧プログラムを実行させることにより実現する、マルチメディアコンテンツ閲覧方法（情報閲覧方法）について、図３〜図７を参照して詳細に説明する。以下の説明では、図３のフローを元に、随時その他の図面を用いて、具体的な実施例を説明する。
【００３６】
図３のステップＳ１において、所定のオリジナル文書情報がオリジナル文書情報保存手段２０に保存され、そのオリジナル文書情報の表示情報の作成指示をユーザから受け付けた場合、図３のステップＳ２において、表示情報作成手段２１により表示情報の作成処理が行われる。
【００３７】
ここで、表示情報作成手段２１による表示情報の作成処理について図４を参照して説明する。表示情報の作成パターンは２つある。
【００３８】
１つ目は、図４（ａ）に示すように、複数のページからなるオリジナル文書情報に適用できるパターンである。例えば、オリジナル文書情報保存手段２０に保存されたオリジナル文書情報が６ページであるとすると、表示情報作成手段２１は、図４（ａ）に示すように、オリジナル文書情報の１ページ目（Ｐ１）の内容に基づいて、表示情報Ａを作成する。ここで、表示情報Ａは、画像型表示情報であっても、文章型表示情報であってもよい。画像型表示情報としては、例えば、Ｐ１のサムネール画像（縮小画像）が挙げられる。このサムネール画像を作成する場合、表示情報作成手段２１は、図５に示すように、オリジナル文書情報のページサイズに基づいて、サイズの異なるサムネール画像を複数（例えば、小・中・大）作成する。これは、表示枠の大きさに応じて、表示するサムネール画像を選択できるようにする為である。文章型表示情報としては、Ｐ１の要約やＰ１の先頭部分の文章、作者名等のコンテキスト情報が挙げられる。Ｐ１と同様にして、Ｐ２〜Ｐ６のそれぞれについても、表示情報Ｂ〜Ｆがそれぞれ作成される。なお、Ｐ１〜Ｐ６におけるページ毎の表示情報について、その種類（画像型or文章型）や内容（要約or先頭部分の文章）は、同じでもよいし、異なってもよい。
【００３９】
２つ目は、図４（ｂ）に示すように、単数のページからなるオリジナル文書情報又は複数のページからなるオリジナル文書情報のいずれにも適用できるパターンである。例えば、オリジナル文書情報保存手段２０に保存されたオリジナル文書情報が１ページであるとすると、表示情報作成手段２１は、図４（ｂ）に示すように、オリジナル文書情報の１ページ目（Ｐ１）の内容に基づいて、各表示情報Ｇ〜Ｊを作成する。ここで、表示情報Ｇ〜Ｊは、Ｐ１内の各領域における属性を識別・分離して、Ｐ１内から、図領域、写真領域、タイトル領域などを文書要素として抽出したものに基づいて作成される。抽出方法としては、オリジナル文書情報を仮想プリンタドライバで画像に変換し、変換された画像に文字画像認識処理で用いられる領域識別処理によって、文書要素に分離する。分離された文書要素に基づき、表示情報Ｇ〜Ｊはそれぞれ、画像型表示情報又は文章型表示情報のいずれかとして作成される。すなわち、画像型表示情報の場合は、元の画像サイズ（例えば、図領域のサイズ、写真領域のサイズ）に基づいて、サイズの異なるサムネール画像が複数（小・中・大）作成され、文章型表示情報としては、領域の要約や領域の先頭部分の文章、作者名等のコンテキスト情報が挙げられる。なお、オリジナル文書情報が複数ページである場合も、上記同様に、一のページにつき複数の表示情報をページ毎に作成する。
【００４０】
なお、オリジナル文書情報が複数ページからなる場合は、上記２つのパターンの両方で各表示情報を作成しておき、どちらを用いて表示するかをユーザが選択できるようにしてもよい。
【００４１】
以上が、表示情報作成手段２１による表示情報の作成処理である。このようにして、オリジナル文書情報毎に作成された各表示情報は、表示情報保存手段２２に格納される。
【００４２】
次に、図３のステップＳ３以下の、表示情報保存手段２２に格納されたオリジナル文書情報をユーザが閲覧する場合について説明する。以下の説明では、ユーザが閲覧対象とするオリジナル文書情報を、６ページで構成されたオリジナル文書情報とし、また、このオリジナル文書情報のページ毎に図４（ｂ）に示すパターンで作成された表示情報を表示するようにユーザにより選択されたものとする。また、図４（ｂ）に示すパターンで予め作成された表示情報は、例えば、ページのタイトルを示す表示情報Ｇ（文章型表示情報）、図面を示す表示情報Ｈ（画像型表示情報）、写真を示す表示情報Ｉ（画像型表示情報）、説明文章を示す表示情報Ｊ（文章型表示情報）であるとし、表示情報Ｈ及び表示情報Ｉとしては、複数サイズのサムネール画像が作成されているものとする。
【００４３】
コンピュータ１において、ユーザ操作により、上記オリジナル文書情報の閲覧が指示されると、制御手段２５は表示手段２１に対して、ユーザに指示された閲覧対象のオリジナル文書情報保存手段２０から検索し、それを表示するように指示する。これにより、ディスプレイ９には、図６（ａ）に示す初期画面が表示される。この初期画面では、図６（ａ）に示すように、各ページに対応する初期画面用表示情報１〜６が全体表示枠内に表示される。ここで、初期画面用表示情報１〜６は、例として、図４（ｂ）に示す表示情報Ｇであるとし、これら表示情報Ｇは各ページのタイトルを示す文書型表示情報である。すなわち、図６（ａ）の初期画面では、閲覧対象である６ページのオリジナル文書情報のＰ１〜Ｐ６の各タイトルが各全体表示枠内に表示される。
【００４４】
なお、本実施例では、初期画面用表示情報として文章型表示情報である表示情報Ｇを用いているが、表示情報の種類（画像型or文章型）や内容（要約or先頭部分の文章）は予め為される設定によるものとする。また、本実施例では、初期画面用表示情報として表示情報Ｇを用いているが、上記表示情報ではなく、初期画面で表示する専用の情報を作成しておき、初期画面ではその情報を表示するようにしてもよい。
【００４５】
そして、図３のステップＳ３において、例えば、ユーザがオリジナル文書情報のＰ３を閲覧する場合、Ｐ３に対応する初期画面用表示情報３が表示されている全体表示枠のズームインを指示する。図６（ａ）の初期画面において、例えば、図示しないマウスポインタを初期画面用表示情報３が表示されている全体表示枠上の所定の位置に移動させて左クリックしたまま画面下方向へドラッグすると、その操作を検知したズームイン／ズームアウト指示手段２４が制御手段２５に通知し、制御手段２５は、表示手段２３に対して、選択された全体表示枠のズームイン処理を行うように指示する。これにより、初期画面用表示情報３が表示されている全体表示枠のズームイン表示（拡大表示）が行われる。
【００４６】
ここで、例えば、図７（ａ）に示す全体表示枠が図７（ｂ）に示す大きさにズームインされると、図３のステップＳ４において、制御手段２５は、拡大された全体表示枠の大きさに基づいて、閲覧対象であるオリジナル文書情報の画像型表示情報及び文章型表示情報のそれぞれの表示枠数を決定する。図７（ｂ）に示す全体表示枠の大きさの場合は、画像型表示情報の表示枠数を「１」、文章型表示情報の表示枠数を「０」として決定されるものとする。なお、初期画面用表示情報３（文章型表示情報Ｇ）の表示枠数は「１」として予め確保されているものとする（図７（ａ）に示す全体表示枠は、図７（ｂ）に示す初期画面用表示情報の表示枠を兼ねている）。
【００４７】
制御手段２５は、各表示情報の表示枠数を決定すると、表示手段２３に対して、表示情報保存手段２２から所定の表示情報を検索して、表示するように制御する。ここでは、文章型表示情報の表示枠数は「０」であるので、所定の画像型表示情報が検索され、表示されることになる。ここで、表示枠のサイズに収まるサイズの画像型表示情報（サムネール画像）がある場合は、その情報を表示枠内に表示することになるが、適当なサイズのものが無かった場合、その旨の通知を表示手段２３から受けた制御手段２５は、表示情報作成手段２１に対して、予め画像型表示情報として作成された複数のサムネール画像のうち、表示枠のサイズに最も近いサイズのサムネール画像に基づいて、表示枠内に収まる新たなサムネール画像を作成するように指示する。これにより、図７（ｂ）に示すように、画像型表示情報Ｈが表示枠内に表示される。なお、図７（ｂ）において、画像型表示情報Ｈの表示に伴い、全体表示枠とは別に、初期画面用表示情報３の表示枠が新たに生成される。図７（ｂ）の初期画面用表示情報３の表示枠は、図４（ａ）の全体表示枠（兼初期画面用表示情報３の表示枠）に比べ、横幅が縮小され、縦幅が拡大したものであり、文字列やフォントサイズの変更はあるものの、表示内容は図７（ａ）のものと変わらない。
【００４８】
図３のステップＳ５において、制御手段２５は、画像型表示情報の表示枠数が全て表示されたかを判断する。上記の場合、画像型表示情報の表示枠数は「１」に決定され、かつ、図７（ｂ）に示すように、画像型表示情報Ｈ（の表示枠）が全体表示枠内に表示されたので、制御手段２５は、画像型表示情報の表示枠数「１」が全て表示されたと判断し（ステップＳ５／ＹＥＳ）、文章型表示情報の表示枠数があるか否かを判断する（ステップＳ６）。上記の場合、文章型表示情報の表示枠数は「０」に決定されたので、文章型表示情報はないものと判断し（ステップＳ６／ＮＯ）、一連の処理を終了する（この場合、図７（ｂ）の表示枠では、もう一つの画像型表示情報Ｉは表示されないことになる）。ステップＳ６において、もし、文章型表示情報の表示枠数が「０」以外の所定数に決定されていた場合は、文章型表示情報はあるものと判断し（ステップＳ６／ＹＥＳ）、ステップＳ８以降の文章型表示情報の表示処理に移行する（これについては後述する）。なお、もし、ステップＳ４において、画像表示型表示情報の表示枠数が「０」に決定されていた場合は、ステップＳ５での判断では、画像型表示情報の表示枠数「０」が全て表示されたと判断し（ステップＳ５／ＹＥＳ）、ステップＳ６へ進む。
【００４９】
図３のステップＳ５において、制御手段２５は、画像型表示情報の表示枠数が全て表示されていないと判断した場合（ステップＳ５／ＮＯ）、すなわち、例えば、拡大された全体表示枠内に画像型表示情報Ｈの表示枠数が全て表示されない場合、閲覧対象のオリジナル文書情報の画像型表示情報が全て表示されたかどうかを判断する（ステップＳ７）。画像型表示情報（本実施例では、画像型表示情報ＨとＩ）が全て表示されていない場合は（ステップＳ７／ＮＯ）、ステップＳ５に戻る。ステップＳ７において、画像型表示情報が全て表示された場合は（ステップＳ７／ＹＥＳ）、すなわち、例えば、決定された画像型表示情報の表示枠数が、予め作成された画像型表示情報数よりも多い場合、ステップＳ８以降の文章型表示情報の表示処理に移行する（これについては後述する）。
【００５０】
次に、図７（ｂ）に示す全体表示枠がさらにズームインされた場合について説明する。例えば、図７（ｂ）に示す全体表示枠が図７（ｃ）に示す大きさにズームインされると（図３のステップＳ３）、図３のステップＳ４において、制御手段２５は、拡大された全体表示枠の大きさに基づいて、閲覧対象であるオリジナル文書情報の画像型表示情報及び文章型表示情報のそれぞれの表示枠数を決定する。図７（ｃ）に示す全体表示枠の大きさの場合は、画像型表示情報の表示枠数を「２」、文章型表示情報の表示枠数を「０」として決定されるものとする。なお、初期画面用表示情報３（文章型表示情報Ｇ）の表示枠数は「１」として予め確保されているものとする。
【００５１】
図３のステップＳ５において、制御手段２５は、画像型表示情報の表示枠数が全て表示されたかを判断する。上記の場合、画像型表示情報の表示枠数は「２」に決定され、かつ、図７（ｃ）に示すように、画像型表示情報Ｈ及び画像型表示情報Ｉ（の表示枠）が全体表示枠内に表示されたので、制御手段２５は、画像型表示情報の表示枠数「２」が全て表示されたと判断し（ステップＳ５／ＹＥＳ）、文章型表示情報の表示枠数があるか否かを判断する（ステップＳ６）。上記の場合、文章型表示情報の表示枠数は「０」に決定されたので、文章型表示情報はないものと判断し（ステップＳ６／ＮＯ）、一連の処理を終了する。なお、図７（ｃ）において、画像型表示情報Ｈは最も大きいサイズのサムネール画像を用い、かつ、画像型表示情報Ｉは最も小さいサイズのサムネール画像を用いて表示した場合を示している。
【００５２】
次に、図７（ｃ）に示す全体表示枠がさらにズームインされた場合について説明する。例えば、図７（ｃ）に示す全体表示枠が図７（ｄ）に示す大きさにズームインされると（図３のステップＳ３）、図３のステップＳ４において、制御手段２５は、拡大された全体表示枠の大きさに基づいて、閲覧対象であるオリジナル文書情報の画像型表示情報及び文章型表示情報のそれぞれの表示枠数を決定する。図７（ｄ）に示す全体表示枠の大きさの場合は、画像型表示情報の表示枠数を「２」、文章型表示情報の表示枠数を「０」として決定されるものとする。なお、初期画面用表示情報３（文章型表示情報Ｇ）の表示枠数は「１」として予め確保されているものとする。
【００５３】
図３のステップＳ５において、制御手段２５は、画像型表示情報の表示枠数が全て表示されたかを判断する。上記の場合、画像型表示情報の表示枠数は「２」に決定され、かつ、図７（ｃ）に示すように、画像型表示情報Ｈ及び画像型表示情報Ｉ（の表示枠）が全体表示枠内に表示されたので、制御手段２５は、画像型表示情報の表示枠数「２」が全て表示されたと判断し（ステップＳ５／ＹＥＳ）、文章型表示情報の表示枠数があるか否かを判断する（ステップＳ６）。上記の場合、文章型表示情報の表示枠数は「０」に決定されたので、文章型表示情報はないものと判断し（ステップＳ６／ＮＯ）、一連の処理を終了する。なお、図７（ｄ）において、画像型表示情報Ｈ及び画像型表示情報Ｉは最も大きいサイズのサムネール画像を用いて表示した場合を示している。
【００５４】
次に、図７（ｄ）に示す全体表示枠がさらにズームインされた場合について説明する。例えば、図７（ｄ）に示す全体表示枠が図７（ｅ）に示す大きさにズームインされると（図３のステップＳ３）、図３のステップＳ４において、制御手段２５は、拡大された全体表示枠の大きさに基づいて、閲覧対象であるオリジナル文書情報の画像型表示情報及び文章型表示情報のそれぞれの表示枠数を決定する。図７（ｄ）に示す全体表示枠の大きさの場合は、画像型表示情報の表示枠数を「２」、文章型表示情報の表示枠数を「１」として決定されるものとする。なお、初期画面用表示情報３（文章型表示情報Ｇ）の表示枠数は「１」として予め確保されているものとする。
【００５５】
図３のステップＳ５において、制御手段２５は、画像型表示情報の表示枠数が全て表示されたかを判断する。上記の場合、画像型表示情報の表示枠数は「２」に決定され、かつ、図７（ｅ）に示すように、画像型表示情報Ｈ及び画像型表示情報Ｉ（の表示枠）が全体表示枠内に表示されたので、制御手段２５は、画像型表示情報の表示枠数「２」が全て表示されたと判断し（ステップＳ５／ＹＥＳ）、文章型表示情報の表示枠数があるか否かを判断する（ステップＳ６）。上記の場合、文章型表示情報の表示枠数は「１」に決定されたので、文章型表示情報があるものと判断し（ステップＳ６／ＹＥＳ）、ステップＳ８に進む。
【００５６】
図３のステップＳ８において、制御手段２５は、文章型表示情報の表示枠数が全て表示されたかを判断する。上記の場合、画像型表示情報の表示枠数は「１」に決定され、かつ、図７（ｅ）に示すように、文章型表示情報Ｊ（の表示枠）が全体表示枠内に表示されたので、制御手段２５は、文章型表示情報の表示枠数「１」が全て表示されたと判断し（ステップＳ８／ＹＥＳ）、一連の処理を終了する。
【００５７】
図３のステップＳ８において、制御手段２５は、画像型表示情報の表示枠数が全て表示されていないと判断した場合（ステップＳ８／ＮＯ）、すなわち、例えば、拡大された全体表示枠内に文章型表示情報Ｊの表示枠数が全て表示されない場合、閲覧対象のオリジナル文書情報の画像型表示情報が全て表示されたかどうかを判断する（ステップＳ９）。文章型表示情報（本実施例では、文章型表示情報Ｊ）が全て表示されていない場合は（ステップＳ９／ＮＯ）、ステップＳ８に戻る。ステップＳ９において、文章型表示情報が全て表示された場合は（ステップＳ９／ＹＥＳ）、すなわち、例えば、決定された文章型表示情報の表示枠数が、予め作成された文章型表示情報数よりも多い場合、一連の処理を終了する。なお、図７（ｅ）において、画像型表示情報Ｈ、画像型表示情報Ｉ及び文章型表示情報Ｊは最も大きいサイズのサムネール画像を用いて表示した場合を示している。
【００５８】
以上のように、例えば、最終的に表示情報Ｈ，Ｉ，Ｊが表示されると、ディスプレイ９の画面上の表示は図６（ｂ）に示すようになる。この時、図６（ｂ）に示すように、初期画面用表示情報３の全体表示枠の拡大表示に伴い、初期画面用表示情報１，２，４，５，６の全体表示枠は縮小表示される。
【００５９】
なお、上記本実施例の説明では、画像型表示情報の数を２つ、文章型表示情報の数を１つとしたが、これらに限られるものではない。また、画像型表示情報又は文章型表示情報のいずれかのみを用いるようにしてもよい。
【００６０】
また、上記本実施例の説明では、図７（ａ）から図７（ｅ）まで徐々にズームインする場合について説明したが、例えば、図７（ａ）から直接図７（ｅ）へズームインしたり、図７（ａ）から図７（ｂ）にズームインした後、図７（ｄ）へズームインしたりすることもできる。
【００６１】
また、上記本実施例の説明では、図３のステップＳ３においてズームインの場合について説明したが、ズームアウトの場合も同様の処理を行う。すなわち、縮小された全体表示枠に基づいて、各表示情報の表示枠数を決定し、決定した表示枠数に基づいて、所定の表示情報をそのまま又はサイズ加工して全体表示枠内に表示するようにする。よって、図７（ｄ）から図７（ａ）まで徐々にズームアウトすることもできるし、図７（ｅ）から図７（ｄ）にズームアウトした後、図７（ｂ）へズームアウトしたりすることもできる。
【００６２】
また、上記本実施例の説明では、全体表示枠をズーミングするようにしたが、画像型表示情報や文章型表示情報の表示枠を指定してズーミングすることにより、さらに、その表示情報に関連する表示情報を表示するようにしてもよい。例えば、図７（ｅ）において、画像型表示情報Ｈの表示枠をズームインすると、その画像型表示情報Ｈの表示情報（画像型or文章型。上述同様に予め作成・保存しておく）が、全体表示枠内あるいは画像型表示情報Ｈの表示枠内に表示されるようにする。
【００６３】
以上説明したように、本実施例によれば、ユーザによって指定された全体表示枠の大きさに基づいて表示情報の表示枠数を決定し、決定した表示枠数に基づいて所定の表示情報を表示するので、ユーザによって選択・指定された表示領域（上記全体表示枠）がズーミングされた場合、その表示領域の面積に応じて、表示情報の量を変化させることができる。つまり、ユーザは、所定の領域のズーミングを変化させることにより、情報量を調節することができる。
【００６４】
また、本実施例によれば、一の表示情報について、サイズの異なるサムネールを複数作成しておき、全体表示枠の大きさがズーミングにより指定されたときに、それらのサムネールのうち所定サイズのものを選択して表示するので、全体表示枠の大きさに柔軟に対応でき、高速処理が可能となる。さらに、全体表示枠の大きさがズーミングにより指定されたときに、それらのサムネールのうち所定サイズのものに基づいて新たなサムネールを作成して表示するので、全体表示枠の大きさにさらに柔軟に対応でき、高速処理が可能となる。
【００６５】
最後に、上記実施例の補足説明を行う。上記実施例において、ズーミングを行う前の準備段階として、ユーザが閲覧対象のオリジナル文書情報を検索する方法について、具体例を挙げて説明する。
【００６６】
〈例１〉
図６（ａ）に示す初期画面を表示する前に、ユーザからの指示操作を受けた場合、制御手段２５は、図８（ａ）に示すように、オリジナル文書情報保存手段２０に保存された複数のオリジナル文書情報の所定のページ（図中では１ページ目）を同一画面上に表示するように表示手段２３へ指示する。そして、ユーザがマウス操作等により所定のページめくり操作を行うと、図８（ｂ）に示すように、各オリジナル文書情報のページが一斉に所定のページ（図中では２ページ目）に変わって表示される。そして、ユーザは、ページめくり操作を行った後、所望のオリジナル文書情報の所望のページを所定の操作により選択すると、図６（ａ）に示す初期画面に表示が切り替わる。
【００６７】
〈例２〉
図９（ａ）に示すような複数ページからなるオリジナル文書情報がオリジナル文書情報保存手段２０に保存された場合、ユーザからの指示操作を受け、制御手段２５は、図９（ｂ）に示すように、そのオリジナル文書情報の各ページを順番に繋げた繋ぎオリジナル文書情報を作成するように表示情報作成手段２１に指示する。作成された繋ぎオリジナル文書情報は、表示情報保存手段２２へ保存される。そして、図６（ａ）に示す初期画面を表示する前に、ユーザからの指示操作を受けた場合、制御手段２５は、図９（ｃ）に示すように、ディスプレイ９の画面上の所定の表示領域において、繋ぎオリジナル文書情報を表示するように表示手段２３へ指示する。主にＰ１が表示されている図９（ｃ）において、例えば、ユーザが画面上方向にスクロール操作を行うと、図９（ｄ）に示すように、Ｐ１の下に繋がっているＰ２が表示される。もちろん、図９（ｄ）において下方向にスクロール操作がされた場合は、図９（ｃ）の表示に戻る。そして、ユーザは、スクロール操作を行った後、所望のページを所定の操作により選択すると、図６（ａ）に示す初期画面に表示が切り替わる。なお、本例では、各ページを縦方向に繋げたが、これに限定されない。
【００６８】
〈例３〉
ユーザ操作により、スキャナ等の画像読取装置を用いて、所望のオリジナル文書情報に関連する所定の画像が入力された場合、制御手段２５は、入力された画像に基づいて、オリジナル文書情報保存手段２０の中から、類似する画像を持つオリジナル文書情報を検索し、検索結果をディスプレイ９に表示するように表示手段２３に指示する。検索の結果、例えば、複数のオリジナル文書情報が検索された場合は、例えば図８（ａ）のように、それらを画面上に表示する。ユーザは、所望のオリジナル文書情報を所定の操作により選択すると、図６（ａ）に示す初期画面に表示が切り替わる。なお、本例では、検索結果の表示後、ユーザが所望のオリジナル文書情報を選択するようにしたが、必ずしもユーザに選択する必要はない。
【００６９】
以上、本発明の実施形態及び実施例について説明したが、上記記載に限定されるものではなく、その要旨を逸脱しない範囲において種々の変形が可能である。
【産業上の利用可能性】
【００７０】
本発明は、ユーザに対して所定の情報を表示することが可能な装置や機器全般に適用できる。
【図面の簡単な説明】
【００７１】
【図１】本発明の実施形態であるコンピュータのハードウェア構成を示すブロック図である。
【図２】本発明の実施形態であるコンピュータの機能構成を示すブロック図である。
【図３】本発明の実施形態であるコンピュータの動作を示すフローチャートである。
【図４】（ａ）は複数ページからなるオリジナル文書情報から表示情報を作成するパターン例を模式的に示し、（ｂ）は単数又は複数ページからなるオリジナル文書情報から表示情報を作成するパターン例を模式的に示す図である。
【図５】本発明の実施形態であるコンピュータで表示される画像型表示情報の例を模式的に示す図である。
【図６】（ａ）は本発明の実施形態であるコンピュータで表示される初期画面の一例を示し、（ｂ）は本発明の実施形態であるコンピュータで表示されるズームイン後の画面の一例を示す正面図である。
【図７】（ａ）〜（ｄ）は本発明の実施形態であるコンピュータで表示されるズームイン時の画面の一部の遷移例を示す正面図である。
【図８】（ａ）は本発明の実施形態であるコンピュータで表示される検索画面の一例を示し、（ｂ）は本発明の実施形態であるコンピュータで表示されるページめくり後の検索画面の一例を示す正面図である。
【図９】（ａ）は複数ページからなるオリジナル文書情報を模式的に示す図であり、（ｂ）は（ａ）に示すオリジナル文書情報から作成された繋ぎオリジナル文書情報を模式的に示す図であり、（ｃ）は（ｂ）に示す繋ぎオリジナル文書情報の表示例を示し、（ｄ）は（ｃ）に示す表示をスクロールした後の表示例を示す図である。
【符号の説明】
【００７２】
１    ＰＣ（情報処理装置の一例）
２    ＣＰＵ
３    ＲＯＭ
４    ＲＡＭ
５    ＨＤＤ
６    リムーバブルメディア（記録媒体）
７    ドライブ
８    ネットワークインターフェース
９    ディスプレイ
１０    キーボード（領域選択手段の一例）
１１    マウス（領域選択手段の一例）
１２    バスコントローラ
２０    オリジナル文書情報保存手段
２１    表示情報作成手段
２２    表示情報保存手段
２３    表示手段（拡大縮小表示手段の一部）
２４    ズームイン／ズームアウト指示手段（拡大縮小表示手段の一部）
２５    制御手段（拡大縮小表示手段の一部、関連情報量制御手段）
【図１】
2008170900.tif 000003
【図２】
2008170900.tif 000004
【図３】
2008170900.tif 000005
【図４】
2008170900.tif 000006
【図５】
2008170900.tif 000007
【図６】
2008170900.tif 000008
【図７】
2008170900.tif 000009
【図８】
2008170900.tif 000010
【図９】
2008170900.tif 000011